【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
被写体像を結像する結像光学系の異なる瞳領域を通過した光束をそれぞれ受光する一対の画素群を有し、該一対の画素群の一方から第１の画像信号を出力し、該一対の画素群の他方から第２の画像信号を出力する撮像手段と、
前記第１の画像信号から、第１の係数を乗じた前記第２の画像信号を減算して、第１の補正画像信号を生成すると共に、前記第２の画像信号から、第２の係数を乗じた前記第１の画像信号を減算して、第２の補正画像信号を生成する演算手段と、
前記演算手段により生成された前記第１の補正画像信号及び前記第２の補正画像信号の位相差に基づいて、焦点ずれ量を検出する焦点検出手段とを有し、
前記第１の係数及び前記第２の係数は、前記一対の画素群それぞれに対する瞳面における入射光束の強度分布に基づいて予め決められていることを特徴とする焦点検出装置。
【請求項２】
前記演算手段は、前記第１の画像信号から、前記第１の係数を乗じた前記第２の画像信号を減算するとともに、予め決められた第３の係数を乗じることで前記第１の補正画像信号を生成し、前記第２の画像信号から、前記第２の係数を乗じた前記第１の画像信号を減算するとともに、予め決められた第４の係数を乗じることで前記第２の補正画像信号を生成し、
前記第３の係数及び前記第４の係数は、前記一対の画素群それぞれに対する瞳面における入射光束の強度分布の積分値に基づいて予め決められていることを特徴とする請求項１に記載の焦点検出装置。
【請求項３】
前記入射光束の強度分布は前記画素群の像高に応じて異なり、異なる像高に対応する前記強度分布に基づいて、前記第１及び第２の係数が予め決められていることを特徴とする請求項１または２に記載の焦点検出装置。
【請求項４】
前記入射光束の強度分布は絞り値に応じて異なり、異なる絞り値に対応する前記強度分布に基づいて、前記第１及び第２の係数が予め決められていることを特徴とする請求項１乃至３のいずれか１項に記載の焦点検出装置。
【請求項５】
前記第１及び第２の係数を記憶した記憶手段を更に有することを特徴とする請求項１乃至４のいずれか１項に記載の焦点検出装置。
【請求項６】
被写体像を結像する結像光学系の異なる瞳領域を通過した光束をそれぞれ受光する一対の画素群を有し、該一対の画素群の一方から第１の画像信号を出力し、該一対の画素群の他方から第２の画像信号を出力する撮像手段と、
前記第１の画像信号と、像高に応じた係数を乗じた前記第２の画像信号とに基づいて、第１の補正画像信号を生成すると共に、前記第２の画像信号と、像高に応じた係数を乗じた前記第１の画像信号とに基づいて、第２の補正画像信号を生成する演算手段と、
前記演算手段により生成された前記第１の補正画像信号及び前記第２の補正画像信号の位相差に基づいて、焦点ずれ量を検出する焦点検出手段とを有することを特徴とする焦点検出装置。
【請求項７】
被写体像を結像する結像光学系と、
請求項１から６のいずれか１項に記載の焦点検出装置と
を有することを特徴とする撮像装置。
【請求項８】
撮像手段が、被写体像を結像する結像光学系の異なる瞳領域を通過した光束をそれぞれ受光する一対の画素群の一方から第１の画像信号を出力し、前記一対の画素群の他方から第２の画像信号を出力する撮像工程と、
演算手段が、前記第１の画像信号から、第１の係数を乗じた前記第２の画像信号を減算して、第１の補正画像信号を生成すると共に、前記第２の画像信号から、前記第１の画像信号に予め決められた第４の係数を乗じて得られた値を減算して、第２の補正画像信号を生成する演算工程と、
焦点検出手段が、前記演算工程で生成された前記第１の補正画像信号及び前記第２の補正画像信号の位相差に基づいて、焦点ずれ量を検出する焦点検出工程とを有し、
前記第１の係数及び前記第２の係数は、前記一対の画素群それぞれに対する瞳面における入射光束の強度分布に基づいて予め決められていることを特徴とする焦点検出方法。
【請求項９】
コンピュータに、請求項８に記載の焦点検出方法の各工程を実行させるためのプログラム。
【請求項１０】
請求項９に記載のプログラムを格納したことを特徴とするコンピュータが読み取り可能な記憶媒体。
【手続補正２】
【補正対象書類名】明細書
【補正対象項目名】００１０
【補正方法】変更
【補正の内容】
【００１０】
上記目的を達成するために、本発明の焦点検出装置は、被写体像を結像する結像光学系の異なる瞳領域を通過した光束をそれぞれ受光する一対の画素群を有し、該一対の画素群の一方から第１の画像信号を出力し、該一対の画素群の他方から第２の画像信号を出力する撮像手段と、前記第１の画像信号から、第１の係数を乗じた前記第２の画像信号を減算して、第１の補正画像信号を生成すると共に、前記第２の画像信号から、第２の係数を乗じた前記第１の画像信号を減算して、第２の補正画像信号を生成する演算手段と、前記演算手段により生成された前記第１の補正画像信号及び前記第２の補正画像信号の位相差に基づいて、焦点ずれ量を検出する焦点検出手段とを有し、前記第１の係数及び前記第２の係数は、前記一対の画素群それぞれに対する瞳面における入射光束の強度分布に基づいて予め決められていることを特徴とする。
【手続補正３】
【補正対象書類名】明細書
【補正対象項目名】００１２
【補正方法】変更
【補正の内容】
【００１２】
更に、本発明の焦点検出方法は、撮像手段が、被写体像を結像する結像光学系の異なる瞳領域を通過した光束をそれぞれ受光する一対の画素群の一方から第１の画像信号を出力し、前記一対の画素群の他方から第２の画像信号を出力する撮像工程と、演算手段が、前記第１の画像信号から、第１の係数を乗じた前記第２の画像信号を減算して、第１の補正画像信号を生成すると共に、前記第２の画像信号から、前記第１の画像信号に予め決められた第４の係数を乗じて得られた値を減算して、第２の補正画像信号を生成する演算工程と、焦点検出手段が、前記演算工程で生成された前記第１の補正画像信号及び前記第２の補正画像信号の位相差に基づいて、焦点ずれ量を検出する焦点検出工程とを有し、前記第１の係数及び前記第２の係数は、前記一対の画素群それぞれに対する瞳面における入射光束の強度分布に基づいて予め決められていることを特徴とする。
【手続補正４】
【補正対象書類名】明細書
【補正対象項目名】００５７
【補正方法】変更
【補正の内容】
【００５７】
Ｌ１ｒｃ、Ｌ１ｌｃは窓Ｉｗ１の射出光束の外周を表しており、Ｌ１ｒｃは図１２（ａ）中右端、Ｌ１ｌｃは図１２（ａ）中左端を示している。Ｌ２ｒｃ、Ｌ２ｌｃは窓Ｉｗ２の射出光束をマイクロレンズＭＬの瞳位置まで投影したものの外周を表しており、Ｌ２ｒｃは図１２（ａ）中右端、Ｌ２ｌｃは図１２（ａ）中左端を示している。図１２（ａ）に示すように、撮像素子１０７の中央画素に入射する光束の瞳面Ｍｅでの瞳領域はＬ２ｌｃとＬ２ｒｃを外周とする光束、つまり、矢印Ａｒｅａ１で示される。
【手続補正５】
【補正対象書類名】図面
【補正対象項目名】図１８
【補正方法】変更
【補正の内容】
【図１８】
2010152006.tif 000001
【手続補正６】
【補正対象書類名】図面
【補正対象項目名】図２９
【補正方法】変更
【補正の内容】
【図２９】
2010152006.tif 000002
【手続補正７】
【補正対象書類名】図面
【補正対象項目名】図４１
【補正方法】変更
【補正の内容】
【図４１】
2010152006.tif 000003